(57)【特許請求の範囲】
【請求項１】
加熱調理対象物が載せられるテーブルと、
該テーブルを支持する支持軸と、
固定電極板と該固定電極板に対して可動な可動電極板とから成る、重量検出装置とを備え、
前記テーブルに加熱調理対象物が載せられたとき、前記支持軸がスラスト方向に変位して前記可動電極板を押圧し、
押圧された前記可動電極板が変位して前記固定電極板と前記可動電極板との間の空隙寸法が変化して静電容量が変化することにより前記テーブルに載せられた加熱調理対象物の重量を検出する加熱調理器用重量検出装置において、
絞り加工により形成され前記支持軸のスラスト方向の変位を点荷重として受ける突起が前記可動電極板に設けられていることを特徴とする加熱調理器用重量検出装置。
【請求項２】
前記突起の高さが前記可動電極板の厚さと略同一であることを特徴とする請求項１に記載の加熱調理器用重量検出装置。
【請求項３】
前記突起が半球状であることを特徴とする請求項１又は請求項２に記載の加熱調理器用重量検出装置。
【発明の詳細な説明】
【０００１】
【発明の属する技術分野】
本発明は、電子レンジなどの加熱調理器において、ターンテーブルに載せられた加熱調理対象物の重量を検出する加熱調理器用重量検出装置に関し、さらに詳しくは、ターンテーブルに載せられた加熱調理対象物の重量を静電容量の変化として検出する加熱調理器用重量検出装置に関するものである。
【０００２】
【従来の技術】
最近の電子レンジなどの加熱調理器においては、ターンテーブルに載せられた加熱調理対象物の重量を検出する重量検出装置が設けられており、加熱調理に先立って、ターンテーブルに載せられた加熱調理対象物の重量を重量検出装置によって自動的に検出し、検出した重量に応じて加熱調理するものが提供されている。このように電子レンジなどに用いられる重量検出装置（加熱調理器用重量検出装置）について説明する。
【０００３】
加熱調理器の加熱調理器用重量検出装置に係わる部分の縦断面正面図を図３に示す。同図において、１０は加熱室、１１は加熱室１０内に配設されたターンテーブル、１２はターンテーブルの支持軸、１３は支持軸１２の上端に設けられたターンテーブルプレートである。ターンテーブルプレート１３のボス部１３ａはターンテーブルの支持軸１２に所定寸法で嵌め込まれており、フランジ部１３ｂはターンテーブル１１を載せるように構成されている。
【０００４】
加熱室１０の下側では、例えばスポット溶接にてモータ取付金具１４が加熱室１０に固定されており、モータ取付金具１４にターンテーブル駆動装置１５と重量検出装置１６とが組品化されたユニット１７がビス１８によって取り付けられている。ターンテーブル駆動装置１５は、ターンテーブルモータ１９と不図示の減速機構と支持軸１２とを金属製ケース２０に取り付けて組品化されたものである。
【０００５】
図３中の円Ｃで囲まれた部分の拡大図である図４を用いてさらに説明する。支持軸１２には、セラミックシャフト１２ａの下端部に樹脂性のキャップ１２ｂが一体成型されている。１２ｄはキャップ１２ｂと一体に成型された不図示の回転駆動ギヤの補強リブ１２ｅの下端に設けられた保護リブであり、支持軸１２に過荷重が加わったときに金属製ケース２０の隆起部２０ａに当接して重量検出装置１６を保護する働きをする。
【０００６】
重量検出装置１６は、互いの間に僅かな空隙が設けられて空気コンデンサを形成する固定電極板２１と可動電極板２３とからなり、支持軸１２の下側にビス固定されている。固定電極板２１はフェノールまたはエポキシ樹脂などの積層板の表面に銅箔などの電気導電体を張り付けた、一般にプリント基板と称される導体張り積層板であり、エッチング処理にて所定の電極部及び導体パターンが形成されている。
【０００７】
可動電極板２３は、その下方から見た平面図を図５に示すように、導電性金属板をジンバルバネ形状に形成した矩形状板バネであり、中心平面部２３ａの中心に荷重が加わると、平面を保ったまま上下に移動して可動電極として作用するとともに、支持軸１２の回転トルクを少なくしている。
【０００８】
そして、従来の加熱調理器用重量検出装置では、キャップ１２ｂの回転中心には重量検出装置１６の可動電極板２３に点接触させるための円錐状または球状の突起１２ｃが設けられていた。
【０００９】
上記構成により、ターンテーブル１１上に加熱調理対象物を載せると、加熱調理対象物の重量に応じた量だけ支持軸１２がスラスト方向に変位するが、この変位により、支持軸１２の突起１２Ｃを介して、可動電極板２３の中心平面部２３ａに荷重が加わり、加熱調理対象物の重量に応じた量だけ可動電極板２３が下方に変位する。この可動電極板２３の変位により、固定電極板２１と可動電極板２３との空隙寸法が変化し、固定電極板２１と可動電極板２３とで形成される空気コンデンサの静電容量が可動電極板２３の変位量に応じた値だけ変化する。そして、この静電容量の変化量が外部の重量検出回路（不図示）により重量に換算され、この換算結果に基づいて加熱調理の制御が行われる。
【００１０】
【発明が解決しようとする課題】
しかしながら、上記従来の加熱調理器用重量検出装置では、支持軸１２に対する可動電極板２３の取付位置がばらつくと、支持軸１２の突起１２ｃによって可動電極板２３の中心平面部２３ａに荷重が加わる点がばらつくことになり、同一の荷重であっても、可動電極板２３の変位量が異なるという現象が発生する。すなわち、従来の加熱調理器用重量検出装置では、組立のばらつきによって、同一の加熱調理対象物に対する検出重量がばらつくという問題があった。
【００１１】
そこで、本発明は、組立のばらつきによる検出重量のばらつきを解消した加熱調理器用重量検出装置を提供することを目的とする。
【００１２】
【課題を解決するための手段】
上記の目的を達成するため、本願の加熱調理器用重量検出装置では、加熱調理対象物が載せられるテーブルと、該テーブルを支持する支持軸と、固定電極板と該固定電極板に対して可動な可動電極板とから成る、重量検出装置とを備え、前記テーブルに加熱調理対象物が載せられたとき、前記支持軸がスラスト方向に変位して前記可動電極板を押圧し、押圧された前記可動電極板が変位して前記固定電極板と前記可動電極板との間の空隙寸法が変化して静電容量が変化することにより前記テーブルに載せられた加熱調理対象物の重量を検出する加熱調理器用重量検出装置において、絞り加工により形成され前記支持軸のスラスト方向の変位を点荷重として受ける突起が設けられている構成とする。
【００１３】
上記構成により、支持軸に対する可動電極板の取付位置がばらついたとしても、可動電極板に荷重が加わる点が一定となり、同一の荷重に対しては可動電極板の変位量は一定となる。
【００１４】
また、上記構成の加熱調理器用重量検出装置において、突起の高さを可動電極板の厚さと略同一としてもよい。
【００１５】
上記構成により、可動電極板に突起を形成し易く、支持軸の回転に対しても好ましい。
【００１６】
また、上記構成の加熱調理器用重量検出装置において、突起を半球状としてもよい。
【００１７】
可動電極板に形成された絞り突起の先端に亀裂が入ると、支持軸の回転トルクが大きくなる。しかしながら、上記構成により、可動電極板に形成された絞り突起を半球状としているので、絞り加工時に可動電極板に設ける突起の先端に亀裂が入る虞がない。
【００１８】
【発明の実施の形態】
以下に、本発明の実施形態を図面を参照しながら説明する。図１は本発明の一実施形態である加熱調理器用重量検出装置の要部断面図である。図２は可動電極板２２を下方から見た平面図及び右側面図である。尚、従来技術と同一部分には同一符号を付して説明を省略する。可動電極板２２の中心平面部２２ａの中央に支持軸１２の回転中心にその中心を一致させて半球状の絞り突起２２ｂを設けている。尚、これを受けて、支持軸１２のキャップ１２ｂの底面はフラットな平滑面としている。
【００１９】
このように、本実施形態の加熱調理器用重量検出装置では、支持軸１２のスラスト方向の変位を点荷重として受けるための突起２２ｂを可動電極板２２に設けているので、組立作業に起因して支持軸１２に対する可動電極板２２の取付位置がばらついたとしても、可動電極板２２に荷重が加わる点は一定となり、同一の荷重に対する可動電極板２２の移動量は一定となる。したがって、組立のばらつきによる検出重量のばらつきを解消することができる。
【００２０】
そして、可動電極板２２の加工において、可動電極板２２を取り付けるための取付穴２２ｃと突起２２ｂとを同一工程で形成することにより、取付穴２２ｃと突起２２ｂとの位置関係にばらつきがなくなり、可動電極板の荷重を受ける点が部品毎にばらつくことはなくなる。したがって、部品による検出重量のばらつきを解消することができる。
【００２１】
尚、半球状の絞り突起２２ｂの高さは板の厚さ程度（約１ｍｍ）が加工的に好ましく、支持軸１２の回転に対しても好ましい。ここで、絞り突起２２ｂの先端が尖りすぎていると、絞り加工時に亀裂が入る虞があり、亀裂が入ると支持軸１２のキャップ１２ｂとの摩擦係数が増大し、回転トルクが増すとともに、滑らかな回転の妨げとなる。これに対して、本実施形態では、絞り突起２２ｂを半球状としているので、突起の先端に亀裂が入る虞がなく、支持軸１２の回転トルクを小さく保つことができ、また、滑らかな回転を妨げることもない。
【００２２】
【発明の効果】
以上説明したように、本願の加熱調理器用重量検出装置によれば、組立作業に起因して支持軸に対する可動電極板の取付位置がばらついたとしても、可動電極板に荷重が加わる点は一定となり、同一の荷重に対する可動電極板の移動量は一定となるので、組立のばらつきによる検出重量のばらつきを解消することができる。
【００２３】
また、可動電極板において取付穴と突起との位置関係にばらつきがなくなり、可動電極板の荷重を受ける点が部品毎にばらつくことはなくなるので、部品による検出重量のばらつきを解消することができる。
【００２４】
また、絞り加工時に可動電極板に形成された突起の先端に亀裂が入る虞がないので、支持軸の回転トルクを小さく保つことができる。
【図面の簡単な説明】
【図１】  本発明の一実施形態である加熱調理器用重量検出装置の要部断面図である。
【図２】  本実施形態における可動電極板を下方から見た平面図及び右側面図である。
【図３】  加熱調理器の加熱調理器用重量検出装置に係わる部分の縦断面正面図である。
【図４】  従来の加熱調理器用重量検出装置の要部断面図である。
【図５】  従来技術における可動電極板を下方から見た平面図及び右側面図である。
【符号の説明】
１０    加熱室
１１    ターンテーブル
１２    支持軸
１２ａ    セラミックシャフト
１２ｂ    キャップ
１２ｃ    突起
１２ｄ    保護リブ
１２ｅ    補強リブ
１３    ターンテーブルプレート
１３ａ    ボス部
１３ｂ    フランジ部
１４    モータ取付金具
１５    ターンテーブル駆動装置
１６    重量検出装置
１８    ビス
１９    ターンテーブルモータ
２０    金属製ケース
２０ａ    隆起部
２１    固定電極板
２２    可動電極板
２２ａ    中心平面部
２２ｂ    突起
２２ｃ    取付穴
２３    可動電極板
２３ａ    中心平面部
【図１】
0003690568.tif 000002
【図２】
0003690568.tif 000003
【図３】
0003690568.tif 000004
【図４】
0003690568.tif 000005
【図５】
0003690568.tif 000006